(57)【要約】【課題】    出入り口の開口位置を選択できるようにして降雨時に雨によってテント内が濡れるのを最小限にすることができるテントの出入り口装置を提供すること。【解決手段】    テントの出入り口１０を形成し出入り口のドアに相当する部材となる出入り口生地１１とこの出入り口生地１１と同一形状に形成された出入り口開口２ａの全周縁にファスナーを設ける。ファスナーは下部ファスナー１００と上部ファスナー２００からなり、下部ファスナーに２個の下部スライダー１０１，１０２を互いに尻合せに設け、上部ファスナー２０１，２０２，２０３，２０４に尻合せに設けた２個のファスナーを２組設ける。出入り口生地１１の背面に虫除けネットを設け、虫除けネットはネットファスナーによって開閉自在に設けられている。【選択図】    図２
0003104260.tif 000002
【実用新案登録請求の範囲】
【請求項１】
テントの出入り口（１０）を形成し出入り口のドアに相当する部材となる出入り口生地（１１）と該出入り口生地と同一形状に形成された出入り口開口（２ａ）の全周縁にファスナーを設け、該ファスナーは下部ファスナー（１００）と上部ファスナー（２００）からなり、上記下部ファスナーに２個の下部スライダーを互いに尻合せに設け、上記上部ファスナーに尻合せに設けた２個のファスナーを２組設けたことを特徴とするテントの出入り口装置。
【請求項２】
出入り口生地（１１）の背面に該出入り口生地と略同一形状に形成した虫除けネット（２０）を設け、該虫除けネットは下端がテントに逢着され他の周縁部がネットファスナー（２２）によって開閉自在に設けられていることを特徴とする請求項１に記載のテントの出入り口装置。
【請求項３】
出入り口生地（１１）の下部ファスナー（１００）が、テントの床面生地から立ち上げた出入り口下生地（２ｂ）と当該出入り口生地の下端に設けられていることを特徴とする請求項１または２に記載のテントの出入り口装置。
【請求項４】
出入り口生地（１１）の背面に設けた虫除けネット（２０）は、下端が床面生地から立ち上げたネット取付け下生地（２１）に縫着されていると共に他の周縁部にネットファスナー（２２）が設けられていることを特徴とする請求項２または３に記載のテントの出入り口装置。
【請求項５】
出入り口下生地（２ｂ）とネット取付け下生地（２１）によって出入り口（１０）の下端に収納袋（３０）を形成し、該収納袋に出入り口生地（１１）または虫除けネット（２０）のいずれか、もしくは、これら双方を収納することを特徴とする請求項３又は４に記載のテントの出入り口装置。
【請求項６】
出入り口下生地（２ｂ）に棒状の摘みを紐で連結した係止部材（３１）を設け、ネット取付け下生地（２１）の表面に表側環状紐（３２）を設けると共に裏面に裏面環状紐（３３）を設け、出入り口生地（１１）を収納袋（３０）に収納した時は、上記係止部材と上記表側環状紐を係合することを特徴とする請求項５に記載のテントの出入り口装置。
【請求項７】
収納袋（３０）に出入り口生地（１１）と虫除けネット（２０）の双方を収納した時は、上記係止部材（３１）と上記裏側環状紐（３２）を係合することを特徴とする請求項６に記載のテントの出入り口装置。
【請求項８】
出入り口生地（１１）の全周縁部に設けた下部及び上部ファスナー（１００，２００）に雨除けカバー（４０）を設けたことを特徴とする請求項１から７のいずれかに記載のテントの出入り口装置。
【考案の詳細な説明】
【技術分野】
【０００１】
本考案は、登山・レジャー・アウトドア等に使用するテントの出入り口装置に関するものである。
【背景技術】
【０００２】
テントの出入り口は各種構造のものが知られている。テントの出入り口の種類は、大別すると、特許文献１に開示された逆Ｔ字形、特許文献２に開示されたＬ字形、特許文献３に開示された逆Ｕ字形、特許文献４に開示されたＤ又はＣ字形である。
【０００３】
特許文献１に記載の逆Ｔ字形の出入り口は、古くから知られている構造であって、ポールを立て張り綱によって設営するテントやフレームを用いたカマボコ型テントに使用されている。この出入り口の利点は、逆Ｕ字形のように出入り口のドアに相当する部分が下に垂れないので踏み付けられることがなく、泥の付着が少なく汚れ難いことである。ただし、降雨時はドア部分に付着した雨がテント内に垂れるといった問題があった。
【０００４】
特許文献２に記載のＬ字形の出入り口は、比較的小型のテントに多く使用されているものであり、登山・アウトドア用としても使用されている。この出入り口は、開口部が逆Ｔ字形の左半分または右半分だけの三角形なので、頭がつかえたりして出入りがし易いとは言えないものであるが、逆Ｕ字形のように出入り口のドアに相当する部分が下に垂れないので踏み付けられることがなく、泥の付着が少なく汚れにくい利点がある。しかし、この場合も降雨時は、逆Ｔ字形の出入り口と同じでドア部分に付着した雨がテント内に垂れるといった問題がある。また、出入り口を開けたままの状態での使用は、逆Ｔ字形や逆Ｕ字形よりも開放感が少ないといった問題もある。
【０００５】
特許文献３に記載の逆Ｕ字形の出入り口は、ファスナーに２個のスライダー（開閉用の摘み）を使用すれば、入り口上部を開けることでベンチレータの機能を奏させることができる利点がある。ただし、逆Ｔ字形の出入り口と同じようにドア部分に付着した雨がテント内に垂れるといった問題がある。また、入口を開けた時ドアになる部分の布地が垂れてしまうので、泥が付着して汚損し、また踏み付けられて損傷するなどの問題もある。
【０００６】
特許文献４に記載のＣ又はＤ字形の出入り口は、Ｌ字形の変形であって、ファスナーに２個のスライダーを使用すればベンチレータの機能を奏させることができるが、Ｌ字形出入り口と同様の問題点を含んでいる。
【０００７】
【特許文献１】実開平６−５４８６７号公開実用新案公報
【特許文献２】第３００１２５８号登録実用新案公報
【特許文献３】第３０２３１０６号登録実用新案公報
【特許文献４】第３０５９９２３号登録実用新案公報
【考案の開示】
【考案が解決しようとする課題】
【０００８】
本考案の課題は、出入り口の開口位置を選択できるようにして降雨時にテント内に吹き込む雨の量を極力少なくすると共に、ドアに相当する部分に付着した雨によってテント内が濡れるのを最小限にすることができるテントの出入り口装置を提供することである。
【課題を解決するための手段】
【０００９】
解決手段の第１は、テントの出入り口を形成し出入り口のドアに相当する部材となる出入り口生地と該出入り口生地と同一形状に形成された出入り口開口の全周縁にファスナーを設け、該ファスナーは下部ファスナーと上部ファスナーからなり、上記下部ファスナーに２個の下部スライダーを互いに尻合せに設け、上記上部ファスナーに尻合せに設けた２個のファスナーを２組設けたことを特徴とするものである。
解決手段の第２は、解決手段の第１において、出入り口生地の背面に該出入り口生地と略同一形状に形成した虫除けネットを設け、該虫除けネットは下端がテントに逢着され他の周縁部がネットファスナーによって開閉自在に設けられていることを特徴とする。
解決手段の第３は、解決手段の第１又は２において、出入り口生地の下部ファスナーが、テントの床面生地から立ち上げた出入り口下生地と当該出入り口生地の下端に設けられていることを特徴とする。
解決手段の第４は、解決手段の第２又は３において、出入り口生地の背面に設けた虫除けネットは、下端が床面生地から立ち上げたネット取付け下生地に縫着されていると共に他の周縁部にネットファスナーが設けられていることを特徴とする。
解決手段の第５は、解決手段の第３又は４において、出入り口下生地とネット取付け下生地によって出入り口の下端に収納袋を形成し、該収納袋に出入り口生地または虫除けネットのいずれか、もしくは、これら双方を収納することを特徴とする。
解決手段の第６は、解決手段の第５において、出入り口下生地に棒状の摘みを紐で連結した係止部材を設け、ネット取付け下生地の表面に表側環状紐を設けると共に裏面に裏面環状紐を設け、出入り口生地を収納袋に収納した時は、上記係止部材と上記表側環状紐を係合することを特徴とする。
解決手段の第７は、解決手段の第６において、収納袋に出入り口生地と虫除けネットの双方を収納した時は、上記係止部材と上記裏側環状紐を係合することを特徴とする。
解決手段の第８は、解決手段の第１から７のいずれかにおいて、出入り口生地の全周縁部に設けた下部及び上部ファスナーに雨除けカバーを設けたことを特徴とする。
【考案の効果】
【００１０】
本考案は、テントの出入り口を形成する出入り口生地の全周縁にファスナーを設けたものであるから、下部ファスナーを除き上部ファスナーを全部開くことにより、大きな出入り口が確保できてテント内への出入りが容易となる効果がある。また、降雨時は、風向きに応じて下部ファスナー及び上部ファスナーの左右いずれかを選択して出入り口を半開きに開けることにより、テント内に雨が吹き込む量を極力少なくできると共に、出入り口生地に付着した雨によってテント内が濡れるのを最小限にすることができる。
【考案を実施するための最良の形態】
【００１１】
図１，図２において、テントは、張設した時の形状が平面視で方形形状を呈しており、登山・アウトドア用として使用されるものである。テント本体１は、正面生地２、側面生地３、床面生地４によって箱形に形成されており、テント表面に２本のフレームチューブ５を交差させて設け、該フレームチューブ５にテントの骨組となるフレーム６を挿入し、各フレーム６の先端をテント本体１の四隅部に設けたフレーム係止孔７に装着したものであって、フレーム６を撓ませ、フレームの弾性を利用してテント本体１の膜体を緊張状態に形成する。なお、正面生地２の反対側には背面生地を有しており、また、側面生地３が両側部に形成されていることは勿論である。１０は正面生地２に設けられたテントの出入り口であり、必要により背面生地にも設けられるものである。実施形態では、テント本体１を２本のフレーム６によって構成しているが、本考案はフレームが３本または４本、あるいはそれ以上の所謂多角形のテントにも応用可能なものであることは勿論である。
【００１２】
１１は出入り口生地であって、テントの出入り口１０を形成し出入り口のドアに相当する部材であり正面視形状が逆Ｕ字形を呈している。一方、テントの正面生地２には上記出入り口生地１１と同一形状の出入り口開口２ａが形成されており、当該出入り口生地１１を出入り口開口２ａに当接するものである。また、出入り口開口２ａの下端には、床面生地４から立ち上げた出入り口下生地２ｂが形成されていて、雨またはゴミがテント内に侵入するのを防止している。
【００１３】
出入り口生地１１の下縁部及び出入り口開口２ａの下部に設けられた出入り口下生地２ｂの縁部には下部ファスナー１００が設けられ、また、出入り口生地１１並びに出入り口開口２ａの下縁部を除く全縁部に上部ファスナー２００が設けられているので、出入り口生地１１及び出入り口開口２ａは、いずれも全周縁がファスナーによって開閉可能に形成されている。これらファスナーのうち、下部ファスナー１００には、２個のスライダー１０１，１０２を尻合せに設け、左右どちらからでも開閉できるようにしており、また、上部ファスナー２００には、尻合せに設けた２個のスライダーが２組設けられ、１本のファスナーに４個のスライダー２０１，２０２，２０３，２０４を設けている。従って、スライダー２０１，２０２及び２０３，２０４は互いに尻合せになり、スライダー２０２，２０３は頭合せになっている。
【００１４】
本明細書において、スライダーの「尻合せ」とは、２個のスライダーが互いに遠ざかる時にファスナーが閉じられるように設定されていることであり、また、スライダーの「頭合せ」とは、２個のスライダーが互いに遠ざかる時にファスナーが開けられるように設定されていることである。
【００１５】
本考案の基本構造は上記のとおりであり、下部スライダー１０１，１０２を左右に移動させて下部ファスナー１００を閉じ、上部スライダー２０１，２０４を下部隅部に移動させ、上部スライダー２０２，２０３を接触させて上部ファスナー２００を閉じる。上部ファスナー２００が全部閉じられていれば、中間に設けた上部スライダー２０２，２０３の位置はどこでも良いが、開閉の都合を考慮すれば、図２に示すように、上部スライダー２０２，２０３は出入り口１０の頂部が適当である。
【００１６】
次に、出入り口１０の開閉パターンを説明する。図２において、下部及び上部ファスナー１００，２００が閉じられている時に、上部スライダー２０２，２０３を互いに遠ざかる方向に移動し、スライダー２０２を下部左端に寄せると共にスライダー２０３を下部右端に寄せて上部ファスナー２００を全部開けると、出入り口生地１１は下部ファスナー１００の部分を除いてテントの正面生地２から離れ、図４に示すように逆Ｕ字形の出入り口１０が形成される。
【００１７】
また、図２に示す位置から、下部スライダー１０２を正面視で左端に寄せ、上部スライダー２０４を上方に引き上げて出入り口１０の頂部まで移動すると、出入り口生地１１は下部ファスナー１００と上部ファスナー２００の右半分がテントの正面生地２から離れ、図５に示すように出入り口の右側が開く。これとは逆に、図２に示す位置から、下部スライダー１０１を正面視で右端に寄せ、上部スライダー２０１を上方に引き上げて出入り口１０の頂部まで移動すると、図示は省略したが出入り口の左側が開く。
【００１８】
この他、図２に示す位置から、下部スライダー１０２を正面視で左端に寄せ、上部スライダー２０１，２０２、２０３，２０４を全て下部左端まで移動すると、下部及び上部ファスナー１００，２００は、下部左端を除く他の部分が全て開きファスナーは全開状態となり、図６に示すように出入り口１０が全部開く。なお、これとは逆に全部のスライダーを下部右端に寄せることもでき、この場合、出入り口１０は下部右端を除く他の部分が全開状態になって開く。
【００１９】
出入り口１０を図４及び図６に示すように開けると、大きな出入り口が確保できてテント内への出入りが容易となる。また降雨時は、図５を参照して、風向きに応じて出入り口の左右いずれかを選択して開口する。この場合、出入り口１０の開口部が風下になるように開けると、テント内に雨が吹き込むのを防止できテント内が濡れるのを最小限にすることができる。
【００２０】
本考案にはテントの機能を高めるための各種機構が組み込まれている。その一つは、テントの出入り口１０に装着した虫除けネット（蚊帳）である。図３及び図７において、虫除けネット２０は出入り口生地１１と略同じ形状に形成されており、下端が床面生地４から立ち上げたネット取付け下生地２１に縫着されていると共に、他の周縁部にネットファスナー２２が設けられている。ネットファスナー２２には２個のネットスライダー２３，２４が頭合せに設けられている。上記したように、出入り口生地１１の下端には出入り口下生地２ｂが設けられ、また、虫除けネット２０の下端にネット取付け下生地２１が設けられているので、これら出入り口下生地２ｂとネット取付け下生地２１によって出入り口１０の下端に収納袋３０が形成される。なお、該収納袋３０には出入り口生地１１または虫除けネット２０を収容することができる。
【００２１】
出入り口生地１１の下端中央部に棒状の摘みを紐で連結してなる係止部材３１を設け、また、虫除けネット２０を逢着したネット取付け下生地２１の中央部に、表側には表側環状紐３２を設けると共に裏側に裏側環状紐３３を設けている。図８に示すように、テントの出入り口１０を虫除けネット２０とする場合は、出入り口生地１１を折り畳んで収納袋３０に収容し、係止部材３１を表側環状紐３２に係合することによって出入口生地１１が踏まれて汚れたりすることが防げる。一方、図９に示すように、出入り口生地１１と虫除けネット２０の双方を収納袋３０内に収容する時は、係止部材３１を裏側環状紐３３に係合する。
【００２２】
また、図１０に示すように、虫除けネット２０を折り畳んで収納袋３０内に収容した場合は、係止部材３１は表側環状紐３２及び裏側環状紐３３のいずれとも係合しない。
【００２３】
この他、図１１に示すように、テントの出入り口１０に設けた出入り口生地１１の全周縁部に設けた下部及び上部ファスナー１００，２００には、ファスナー部分からの雨の侵入を防止する雨除けカバー４０が設けられている。雨除けカバー４０は、下部及び上部ファスナー１００，２００の蓋となるものであり、降雨時にテント内に雨が侵入するのを防止している。
【００２４】
本考案は、テントの出入り口１０に設けた出入り口生地１１の全周縁部に設けた下部及び上部ファスナー１００，２００の内、上部ファスナー２００はスライダー２０２，２０３が頭合せになっているので、該スライダー２０２，２０３を開けて出入り口１０の上部において換気作用を行なうことができ、また、虫除けネット２０のネットファスナー２２もネットスライダー２３，２４を開けて換気作用を行なうことができるものである。
【図面の簡単な説明】
【００２５】
【図１】テントの全体を示す斜視図。
【図２】テントの出入り口を出入り口生地で閉塞した状態を示す正面図。
【図３】テントの出入り口を虫除けネットで閉塞した状態を示す正面図。
【図４】テント出入り口を逆Ｕ字形に開けた状態を示す正面図。
【図５】テント出入り口の右側を開けた状態を示す正面図。
【図６】テント出入り口を全開にした状態を示す正面図。
【図７】テント出入り口の断面図。
【図８】出入り口生地を収納袋に収容した状態を示す断面図。
【図９】出入り口生地と虫除けネットの双方を収納袋に収容した状態を示す断面図。
【図１０】虫除けネットを収納袋に収容した状態を示す断面図。
【図１１】テント出入口の周縁部に設けた雨除けカバーを示す正面図。
【符号の説明】
【００２６】
１  テント本体
２  正面生地
２ａ  出入り口開口
２ｂ  出入り口下生地
３  側面生地
４  床面生地
５  フレームチューブ
６  フレーム
７  フレーム係止孔
１０  出入り口
１１  出入り口生地
１００  下部ファスナー
１０１，１０２  下部スライダー
２００  上部ファスナー
２０１，２０２，２０３，２０４  上部スライダー
２０  虫除けネット
２１  ネット取付け下生地
２２  ネットファスナー
２３，２４  ネットスライダー
３０  収納袋
３１  係止部材
３２  表側環状紐
３３  裏側環状紐
３４  水抜き孔
４０  雨除けカバー
【図１】
0003104260.tif 000003
【図２】
0003104260.tif 000004
【図３】
0003104260.tif 000005
【図４】
0003104260.tif 000006
【図５】
0003104260.tif 000007
【図６】
0003104260.tif 000008
【図７】
0003104260.tif 000009
【図８】
0003104260.tif 000010
【図９】
0003104260.tif 000011
【図１０】
0003104260.tif 000012
【図１１】
0003104260.tif 000013